(57)【要約】【課題】開口の形成によりヘッドの剛性が低下するのを防止することができる、ゴルフクラブヘッドを提供する。【解決手段】本発明に係るゴルフクラブヘッドは、フェース部、クラウン部、及びソール部を有するヘッド本体と、前記ヘッド本体に取り付けられ、前記ヘッド本体よりも比重の小さい、少なくとも１つのカバー部材と、を備え、前記ヘッド本体は、前記フェース部、前記クラウン部、及び前記ソール部によって囲まれた内部空間を有し、前記クラウン部及びソール部の少なくとも一方に形成され、前記内部空間に通じる少なくとも１つの開口と、少なくとも前記開口を横断する横断部を有し、前記ヘッド本体の内壁面に沿って延びる、少なくとも１つのブリッジ部と、を備え、前記開口は、前記ヘッド本体の外側から前記カバー部材によって塞がれ、前記ブリッジ部は、前記カバー部材に接する接合面を備え、前記ブリッジ部の前記ヘッド本体の内壁面からの高さは、当該ブリッジ部の延びる方向において変化している。【選択図】図５
2020179034.tif 000002
【特許請求の範囲】
【請求項１】
フェース部、クラウン部、及びソール部を有するヘッド本体と、
前記ヘッド本体に取り付けられ、前記ヘッド本体よりも比重の小さい、少なくとも１つのカバー部材と、
を備え、
前記ヘッド本体は、
前記フェース部、前記クラウン部、及び前記ソール部によって囲まれた内部空間を有し、
前記クラウン部及びソール部の少なくとも一方に形成され、前記内部空間に通じる少なくとも１つの開口と、
少なくとも前記開口を横断する横断部を有し、前記ヘッド本体の内壁面に沿って延びる、少なくとも１つのブリッジ部と、
を備え、
前記開口は、前記ヘッド本体の外側から前記カバー部材によって塞がれ、
前記ブリッジ部は、前記カバー部材に接する接合面を備え、
前記ブリッジ部の前記ヘッド本体の内壁面からの高さは、当該ブリッジ部の延びる方向において変化している、ゴルフクラブヘッド。
【請求項２】
前記ブリッジ部は、トゥ−ヒール方向に前記ソール部のトゥ側の縁部付近まで延びており、
前記ブリッジ部の前記高さは、前記ソール部のトゥ側の縁部にいくにしたがって低くなっている、請求項１に記載のゴルフクラブヘッド。
【請求項３】
前記ブリッジ部は、トゥ−ヒール方向に前記ソール部のヒール側の縁部付近まで延びており、
前記ブリッジ部の前記高さは、前記ソール部のヒール側の縁部にいくにしたがって低くなっている、請求項１または２に記載のゴルフクラブヘッド。
【請求項４】
前記開口の周縁部には、前記カバー部材の周縁部が配置される設置部が形成されており、
前記設置部の外縁と、前記ヘッド本体の外面との境界に段が形成されており、
前記設置部に配置された前記カバー部材の周縁部と、前記ヘッド本体の外面とが略面一になるように構成されている、請求項１から３のいずれかに記載のゴルフクラブヘッド。
【請求項５】
前記設置部の一部には、肉厚の小さい第１薄肉部が形成されている、請求項４に記載のゴルフクラブヘッド。
【請求項６】
前記ヘッド本体には、前記設置部の周囲の少なくとも一部に、当該設置部よりも肉厚の小さい第２薄肉部が形成されている、請求項４または５に記載のゴルフクラブヘッド。
【請求項７】
前記第２薄肉部の周囲の少なくとも一部には、当該第２薄肉部よりも肉厚の大きい厚肉部が形成されている、請求項６に記載のゴルフクラブヘッド。
【請求項８】
前記厚肉部は、前記開口を挟んで、トゥ側及びヒール側に形成されている、請求項７に記載のゴルフクラブヘッド。
【請求項９】
前記ブリッジ部の１つは、トゥ−ヒール方向に延び、
当該ブリッジ部によって、前記開口が、フェース側の第１開口及びバック側の第２開口に仕切られ、
前記第１開口の面積が、前記第２開口の面積よりも小さい、請求項１から８のいずれかに記載のゴルフクラブヘッド。
【請求項１０】
前記開口は、トゥ−ヒール方向におけるトゥ側に形成されている、請求項１から９のいずれかに記載のゴルフクラブヘッド。
【請求項１１】
前記開口は、前記ソール部に形成されている、請求項１から１０のいずれかに記載のゴルフクラブヘッド。
【発明の詳細な説明】
【技術分野】
【０００１】
本発明は、ゴルフクラブヘッドに関する。
【背景技術】
【０００２】
ウッド型のゴルフクラブヘッドは、従来から、多くの改良がなされてきており、重心設計のための自由度を増すため、種々の提案がなされている。例えば、特許文献１では、ヘッドに開口を形成し、この開口を塞ぐように重量の軽い繊維強化プラスチックなどで形成されたカバー部材を配置している。これにより、カバー部材が取り付けられる部位の重量が軽くなるため、その軽くなった重量を他の部位に振り分けることができる。そのため、重心設計の自由度が向上する。
【先行技術文献】
【特許文献】
【０００３】
【特許文献１】特許第３７６２９０６号公報
【発明の概要】
【発明が解決しようとする課題】
【０００４】
しかしながら、開口を形成すると、そのヘッドの剛性が低くなるという問題がある。本発明は、上記問題を解決するためになされたものであり、開口の形成によりヘッドの剛性が低下するのを抑制することができる、ゴルフクラブヘッドを提供することを目的とする。
【課題を解決するための手段】
【０００５】
本発明に係るゴルフクラブヘッドは、フェース部、クラウン部、及びソール部を有するヘッド本体と、前記ヘッド本体に取り付けられ、前記ヘッド本体よりも比重の小さい、少なくとも１つのカバー部材と、を備え、前記ヘッド本体は、前記フェース部、前記クラウン部、及び前記ソール部によって囲まれた内部空間を有し、前記クラウン部及びソール部の少なくとも一方に形成され、前記内部空間に通じる少なくとも１つの開口と、少なくとも前記開口を横断する横断部を有し、前記ヘッド本体の内壁面に沿って延びる、少なくとも１つのブリッジ部と、を備え、前記開口は、前記ヘッド本体の外側から前記カバー部材によって塞がれ、前記ブリッジ部は、前記カバー部材に接する接合面を備え、前記ブリッジ部の前記ヘッド本体の内壁面からの高さは、当該ブリッジ部の延びる方向において変化している。
【０００６】
上記ゴルフクラブヘッドにおいて、前記ブリッジ部は、トゥ−ヒール方向に前記ソール部のトゥ側の縁部付近まで延ばすことができ、前記ブリッジの前記高さは、前記ソール部のトゥ側の縁部にいくにしたがって低くなるように形成することができる。
【０００７】
上記ゴルフクラブヘッドにおいて、前記ブリッジ部は、トゥ−ヒール方向に前記ソール部のヒール側の縁部付近まで延ばすことができ、前記ブリッジの前記高さは、前記ソール部のヒール側の縁部にいくにしたがって低くなるように形成することができる。
【０００８】
上記ゴルフクラブヘッドにおいて、前記開口の周縁部には、前記カバー部材の周縁部が配置される設置部を形成することができ、前記設置部の外縁と、前記ヘッド本体の外面との境界に段を形成することができ、前記設置部に配置された前記カバー部材の周縁部と、前記ヘッド本体の外面とが略面一になるように構成することができる。
【０００９】
上記ゴルフクラブヘッドにおいて、前記設置部の一部には、肉厚の小さい第１薄肉部を形成することができる。
【００１０】
上記ゴルフクラブヘッドにおいて、前記ヘッド本体には、前記設置部の周囲の少なくとも一部に、当該設置部よりも肉厚の小さい第２薄肉部を形成することができる。
【００１１】
上記ゴルフクラブヘッドにおいて、前記第２薄肉部の周囲の少なくとも一部には、当該第２薄肉部よりも肉厚の大きい厚肉部を形成することができる。
【００１２】
上記ゴルフクラブヘッドにおいて、前記厚肉部は、前記開口を挟んで、トゥ側及びヒール側に形成することができる。
【００１３】
上記ゴルフクラブヘッドにおいて、前記ブリッジ部の１つは、トゥ−ヒール方向に延び、当該ブリッジ部によって、前記開口が、フェース側の第１部位及びバック側の第２部位に仕切られ、前記第１部位の面積が、前記第２部位の面積よりも小さいものとすることができる。
【００１４】
上記ゴルフクラブヘッドにおいて、前記開口は、トゥ−ヒール方向におけるトゥ側に形成することができる。
【００１５】
上記ゴルフクラブヘッドにおいて、前記開口は、前記ソール部に形成することができる。
【発明の効果】
【００１６】
本発明に係るゴルフクラブヘッドによれば、開口の形成によりヘッドの剛性が低下するのを防止することができる。
【図面の簡単な説明】
【００１７】
【図１】本実施形態に係るゴルフクラブヘッドの斜視図である。
【図２】図１のゴルフクラブヘッドの基準状態での平面図である。
【図３】基準状態にあるゴルフクラブヘッドを下方から見た平面図である。
【図４Ａ】フェース部の境界を説明する図である。
【図４Ｂ】フェース部の境界を説明する図である。
【図５】ソール部からカバー部材を取り外した状態を示す平面図である。
【図６】ソール部を下面側から透過して内面を見た平面図である。
【図７】ヘッドの一部を切り欠き、ヘッドの内部空間を示す斜視図である。
【図８】図５のＡ−Ａ線断面図である。
【発明を実施するための形態】
【００１８】
以下、本発明に係るゴルフクラブヘッドの一実施形態について、図面を参照しつつ説明する。
【００１９】
＜１．ゴルフクラブヘッドの概要＞
図１は、このゴルフクラブヘッドの斜視図、図２は、ヘッドの基準状態での平面図、図３は、基準状態にあるゴルフクラブヘッドを下方から見た平面図である。図１〜図３に示すように、このゴルフクラブヘッド（以下、単に「ヘッド」ということがある）１００は、内部空間を有する中空構造であり、フェース部１、クラウン部２、ソール部３、及びホーゼル部４によって壁面が形成されたヘッド本体１０と、このヘッド本体１０のソール部３に取り付けられたカバー部材５と、を有するウッド型のゴルフクラブヘッドである。具体的には、ユーティリティ（ハイブリッド）、フェアウェイウッド、ドライバーといったゴルフクラブヘッドに適用することができる。
【００２０】
フェース部１は、ボールを打球する面であるフェース面を有しており、クラウン部２はフェース部１と隣接し、ヘッド本体１０の上面を構成する。ソール部３は、主としてヘッド本体１０の底面を構成し、フェース部１とクラウン部２以外のヘッド本体１０の外周面を構成する。すなわち、ヘッド本体１０の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有し、ヘッドの内部まで延びる筒状に形成されている。そして、この挿入孔４１の中心軸線Ｚは、シャフトの軸線に一致している。
【００２１】
図３に示すように、ソール部３には、後述するように第１開口３１及び第２開口３２が形成されており、これら開口３１，３２を塞ぐようにカバー部材５が接着剤などで取り付けられている。
【００２２】
ここで、ゴルフクラブヘッド１００を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。また、トゥ−ヒール方向及びフェース−バック方向に直交する方向を上下方向と称することがある。
【００２３】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２４】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００２５】
ヘッド本体１０は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２６】
一方、カバー部材５は、ヘッド本体１０よりも比重の小さい材料で形成されており、例えば、比重が０．９〜３．０の材料で形成することができる。そのような材料としては、例えば、ポリエーテルエーテルケトン（ＰＥＥＫ）、ポリカーボネート（ＰＣ）などのプラスチック、繊維強化プラスチック、Ｍｇ合金、Ａｌ合金などを採用することができる。また、その他の観点としては、カバー部材５は、例えば、ヘッド本体１０よりもヤング率の小さい材料で形成することもできる。この場合、カバー部材５のヤング率は、４ＭＰａ〜１２５ＧＰａとすることができ、ヘッド本体１０のヤング率は、１００ＧＰａ〜１３０ＧＰａとすることができる。
【００２７】
このゴルフクラブヘッド１００の体積は、例えば、９０ｃｍ3以上、４７０ｃｍ3以下が望ましい。
【００２８】
＜２．ソール部の外面の構造＞
続いて、ソール部３の外面の構造について、図５も参照しつつ説明する。図５はソール部からカバー部材を取り外した状態を示す平面図である。
【００２９】
上述した図３に示すように、ソール部３には、四角形状のカバー部材５が取り付けられるが、図５に示すように、ソール部３のトゥーヒール方向の中央よりもトゥ側において、カバー部材５が取り付けられる部位には、三角形状の第１開口３１、及び第１開口３１よりも大きい四角形状の第２開口３２が形成されており、これら開口３１，３２はヘッド本体１０の内部空間に通じている。また、これら開口３１，３２の周囲には、カバー部材５が当接する第１設置部３３及び第２設置部（第１薄肉部）３４が形成され、両開口３１，３２の間には、カバー部材５が当接する仕切り部（横断部）３５が形成されている。カバー部材５は、これらに対して接着剤等によって固定される。
【００３０】
第１設置部３３は、ソール部３の外面からやや凹んでおり、両開口３１，３２を囲むように四角形の枠状に形成されている。すなわち、第１設置部３３の外縁とソール部３の外面との境界には段が形成されている。ここでは、説明の便宜のため、第１設置部３３において、フェース側の外縁、トゥ側の外縁、バック側の外縁、及びヒール側の外縁を、それぞれ、第１縁部３３１、第２縁部３３２、第３縁部３３３、及び第４縁部３３４と称することとする。第１縁部３３１は、フェース部１からやや離れ、フェース部１と概ね平行に延びている。第２縁部３３２は、ソール部３のトゥ側の縁部に近接し、この縁部に沿って円弧状に延びている。第３縁部３３３は、途中で屈曲する直線状に形成されており、ヒール側の端部は、第１縁部３３１のヒール側の端部よりもさらにヒール側に位置している。そして、第４縁部３３４は、フェース−バック方向に延びつつ、フェース側にいくにしたがって、トゥ側に延びるよう形成されている。
【００３１】
第２設置部３４は、第１設置部３３の第４縁部３３４から第２縁部３３２側へ延びる四角形状に形成されており、後述するように、第１設置部３３よりも薄肉に形成されている。さらに、仕切り部３５は、第１設置部３３の第２縁部３３２と第４縁部３３４とを結ぶように延びており、この仕切り部３５によって両開口３１，３２が仕切られている。仕切り部３５は、トゥ−ヒール方向に延びつつ、トゥ側にいくにしたがってややフェース側に延びるように形成されている。また、仕切り部３５の内面、つまり内部空間側の面には、後述するように、リブ３５１が形成されている。
【００３２】
なお、ヘッド本体１０の外面側において、第１設置部３３、第２設置部３４、及び仕切り部３５は、段差のない面一に形成されており、これによって、カバー部材５が強固に固定される。そして、第１設置部３３とソール部３の外面との段差の高さは、カバー部材５の厚みと概ね同じである。したがって、カバー部材５がソール部３に取り付けられたとき、カバー部材５の外面とソール部３の外面とは、概ね面一となる。
【００３３】
また、ソール部３において、カバー部材５よりもバック側には、ウエイト部材（図示省略）が取り付けられるための固定穴３８が形成されている。固定穴３８の内壁面には、ウエイト部材に取り付けられた雄ねじが螺合する雌ねじ（図示省略）が形成されている。
【００３４】
＜３．ソール部の内面の構造＞
次に、ソール部３の内面の構造について、図６〜図８も参照しつつ説明する。図６はソール部を下面側から透過して内面を見た平面図、図７はヘッドの一部を切り欠き、ヘッドの内部空間を示す斜視図、図８は図５のＡ−Ａ線断面図である。
【００３５】
図６〜図８に示すように、ソール部３の内面において、第１設置部３３は、カバー部材５を主として支持する部位であるため、その厚みは、例えば、０．４〜１．０ｍｍとすることができる。また、仕切り部３５も第１設置部３３と同じ厚みとなっている。一方、第２設置部３４は、第１設置部３３を補完するように、カバー部材５を支持する部位であるため、第１設置部３３よりも薄肉に形成されている。
【００３６】
また、図６に示すように、ソール部３において、第１設置部３３よりも外側の領域には、第１設置部３３の第３縁部３３３及び第４縁部３３４を囲むようにＬ字状に形成された第１領域３７１（薄いグレーに着色された部分：第２薄肉部）を備えており、さらにこの第１領域３７１及び第１設置部３３の第２縁部３３２を囲むように形成された第２領域３７２（濃いグレーに着色された部分：厚肉部）を備えている。第１領域３７１は、トゥーヒール方向の概ね中央付近に配置されており、第２領域３７２の一部は第１領域３７１よりもヒール側に配置されている。また、第２領域３７２の一部は、開口３１，３２よりもトゥ側に配置されているため、第２領域３７２は開口３１，３２を挟んでトゥーヒール方向の両側に配置されている。
【００３７】
図８に示すように、第１領域３７１は、第１設置部３３よりも薄肉に形成されており、第２領域３７２は、第１領域３７１よりは厚肉であるが、第１設置部３３よりは薄肉に形成されている。さらに、固定穴３８の周囲で、第２領域３７２よりもバック側には後部領域３７３が形成されている。この後部領域３７３は、ソール部３のバック側の縁部に沿うように形成されており、ソール部３の中で肉厚が、第１設置部３３と同等か、あるいはそれよりも大きく形成された部位が混在している。
【００３８】
図６及び図７に示すように、ソール部３の内面には、リブ３５１が形成されている。このリブ３５１は、上述した仕切り部３５の内面を通過し、さらにトゥ側及びヒール側に延長されている。すなわち、リブ３５１のトゥ側の端部は、第１設置部３３の第２縁部３３２まで延びており、ヒール側の端部は、ソール部３のヒール側の縁部まで延びている。したがって、リブ３５１は、フェース部１と平行に延びているのではなく、ヒール側にいくにしたがって、バック側に向かうように延びている。
【００３９】
リブ３５１の幅は、仕切り部２３よりも狭く、例えば、０．５〜１．５ｍｍとすることができる。また、リブ３５１の高さは、第１設置部３３及び仕切り部３５から、例えば、１．０〜７．０ｍｍの高さとすることができる。図７に示すように、リブ３５１の高さは、トゥ側にいくにしたがって、低くなっており、その両端部においてはソール部の内面からの高さが０になっているまた、リブ３５１は、後述する打球音の観点からは、フェース部１の近くに形成されることが好ましく、例えば、フェース部１から、ヘッド１００のフェース−バック方向の長さの５０％以内の領域に形成されることが好ましい。
【００４０】
＜４．ゴルフクラブヘッドの組立構造＞
本実施形態に係るゴルフクラブヘッド１００は、種々の組み立て構造とすることができる。例えば、フェース部１に開口を形成し、この開口にフェース部材を嵌め込み、溶接によって固定した構造とすることができる。フェース部材は、例えば、鍛造製法や、平板のプレス加工、鋳造等により製造することができる。一方、フェース部材以外の部分は、公知のロストワックス精密鋳造法などの鋳造によって製造することができる。
【００４１】
あるいは、フェース部１及びその周縁から突出する周縁部を備えたカップ状のフェース部材を形成し、これをクラウン部２及びソール部３のフェース側に形成された開口に取り付ける、いわゆるカップフェース構造とすることもできる。この場合も、フェース部材は、上記のように、鍛造製法や、平板のプレス加工、鋳造等により製造することができ、その他の部分は、上記のような精密鋳造法により形成することができる。
【００４２】
また、開口３１，３２は、ヘッドを上記のように鋳造した後、あるいはフェース部材を取り付けた後に、ソール部３をレーザなどで切断することで形成することができる。その後、両設置部３３，３４及び仕切り部３５に対して、カバー部材５を接着剤で固定すれば、ヘッド１００が完成する。
【００４３】
＜５．特徴＞
以上の実施形態によれば、次の効果を得ることができる。
【００４４】
(1) ソール部３に開口３１，３２を形成し、この開口３１，３２を塞ぐように、比重の小さいカバー部材５を取り付けているため、ソール部３の重量を低減することができる。そして、その低減した重量を他の部位に配分することができるため、ヘッド１００の重心設計の自由度を向上することができる。特に、開口３１，３２をトゥ側に形成し、さらに、第１設置部３３を囲む第１領域３７１の肉厚を小さくしているため、トゥ側の重量を低減することができる。また、リブ３５１の高さがトゥ側にいくにしたがって低くなっているため、トゥ側の重量低減に寄与している。その一方で、ヒール側には、肉厚の大きい第２領域３７２を形成しているため、ヒール側の重量を大きくすることができる。したがって、スイング時にヘッドが返りやすくなり、スライスを軽減することができる。
【００４５】
なお、第２領域３７２は、開口３１，３２を挟んで、トゥ側及びヒール側の両方に形成されているため、重量の大きい部分が、ソール部３のトゥ側及びヒール側の端部付近に形成されている。したがって、ヘッド１００の左右の慣性モーメントを大きくすることができる。
【００４６】
(2) ソール部３のバック側に肉厚の大きい後部領域３７３を形成しているため、ヘッド１００の重心深度を深くすることができる。これにより、インパクト時のロフト角が大きくなるため、打ち出し角度を大きくすることができる。
【００４７】
(3) 開口３１，３２の間を横断するようにリブ３５１を形成しているため、開口３１，３２によるヘッドの剛性の低下を抑制することができる。その一方で、リブ３５１の高さは、トゥ側にいくにしたがって小さくなっているため、リブ３５１による重量の増加を抑制している。その結果、重量配分の自由度が阻害されるのを防止することができる。また、ソール部３は、トゥ側が次第に高くなるように湾曲しているため、リブ３５１がトゥ側にいくにしたがって小さくなると、トゥ側においてソール部３の最も低い箇所からのリブ３５１の高さを低い位置に留めることができる。したがって、リブ３５１による補強の効果を得つつ、リブ３５１の重量によってヘッドの重心が高くなるのを抑制することができる。
【００４８】
また、フェース部１に対する打撃によってソール部３には振動が生じるが、その振動の腹は、ソール部３のトゥ−ヒール方向に複数生じることがある。そして、そのような振動の腹が生じる部分を通るように、トゥーヒール方向に延びるリブ３５１を形成すると、その振動を低減することができる。特に、周波数の低い振動の腹は、フェース部１近傍に生じることが多いので、本実施形態のように、フェース部１に近い位置にリブを形成することで、そのような低周波の振動を抑制し、打球音を高音化することができる。したがって、トゥーヒール方向に延びるリブ３５１を形成することで、所望の周波数の振動を抑制することできる。
【００４９】
(4) ソール部３には、カバー部材５と接する部位として、第１設置部３３、第２設置部３４、及び仕切り部３５を形成している。このように、カバー部材５と接する領域を大きくすることで、ヘッド本体１０とカバー部材５との接合強度を向上することができる。また、リブ３５１が形成された仕切り部３５がカバー部材５に接することで、カバー部材５がより補強される。また、カバー部材５はヘッド本体１０よりも一般的に剛性の低い材料で形成されているため、それによって、ボールの打撃時には、低い振動数で振動しやすい。そのため、低音の打球音が発生しやすい。これに対して、上記のように、カバー部材５が補強されると、低い振動数の振動を抑制することができる。その結果、振動数が高い振動を発生させ、打球音を高音にすることができる。
【００５０】
＜６．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００５１】
＜６−１＞
開口３１，３２の形状、位置、数は、特には限定されず、例えば、ヒール側、あるいはバック側に形成することもできる。また、上記実施形態では、カバー部材５が当接する両設置部３３，３４及び仕切り部３５を形成しているが、カバー部材５が当接する領域の形状は特には限定されない。
【００５２】
＜６−２＞
また、上記実施形態では、ソール部３の外面から凹むように第１設置部３３を形成し、これによって、カバー部材５とソール部３の外面とが面一になるように形成している。これに対して、例えば、ソール部３の外面から凹む第１設置部３３を形成せず、開口３１，３２の外側のソール部３の外面にカバー部材５を接着することもできる。これにより、カバー部材５とソール部３の外面には段が形成されることになるが、このような態様も可能である。
【００５３】
＜６−３＞
リブ３５１は、少なくとも２つの開口３１，３２の間を通過するように形成されていればよい。あるいは、１つの開口を横断するように形成されていればよいともいえる。したがって、リブの数、位置は特には限定されない。例えば、上記実施形態では、開口３１，３２を超えて、リブ３５１がトゥ側及びヒール側に延びているが、開口３１，３２を横断する付近にのみ形成することもできる。
【００５４】
上記実施形態では、リブ３５１の高さがトゥ側にいくにしたがって、低くなっているが、ヒール側にいくにしたがって低くなっていてもよい。これにより、上述したようにリブ３５１がトゥ側にいくにしたがって低くなることによる効果と同様の効果を得ることができる。また、リブ３５１の高さは、漸進的に変化してもよいし、段を設けて高さが変化するようにすることもできる。その他、リブ３５１の高さは、特には限定されず、何れの部分を低くするかは、要求される性能に対応する重心設計等に応じて適宜変更することができる。すなわち、リブ３５１の高さを調整することで、重量を所望の位置に配置することができる。
【００５５】
また、上記実施形態のリブ３５１及び仕切り部３５が本発明のブリッジ部を構成し、仕切り部３５においてカバー部材５に当接する部分が、本発明の接合面を構成する。また、仕切り部３５を設けず、リブ３５１のみでブリッジ部を形成し、リブ３５１がカバー部材５に当接するようにすることもできる。この場合、リブ３５１においてカバー部材５に当接する部分が、本発明の接合面に相当する。あるいは、仕切り部３５のみでブリッジ部を形成することもできる。
【００５６】
＜６−４＞
ソール部３の肉厚は上記実施形態に示したものに限定するものではなく、種々の肉厚分布にすることができる。例えば、第１領域３７１は、開口３１，３２あるいは第１設置部３３の周囲の少なくとも一部に形成されていればよい。また、第２領域３７２の形状も特には限定されない。
【００５７】
＜６−５＞
上記実施形態では、開口３１，３２をソール部３に形成しているが、クラウン部２に形成することもできる。但し、クラウン部２は、ソール部３に比べて肉厚が概ね小さいため、開口３１，３２を形成することによる重量低減効果は、ソール部３に開口を形成する方が高いと考えられる。また、クラウン部２に開口を形成する場合、その位置、数、カバー部材５を設置するための態様、ブリッジの態様は、ソール部３に開口及びブリッジを形成する場合と同様に適宜変更することができる。あるいは、開口及びブリッジ部をソール部３とクラウン部２の両方に形成することもできる。
【符号の説明】
【００５８】
１  フェース部
２  クラウン部
３  ソール部
３１  第１開口
３２  第２開口
３３  第１設置部
３４  第２設置部（第１薄肉部）
３５  仕切り部（横断部）
３５１  リブ（ブリッジ部）
３７１  第１領域（第２薄肉部）
３７２  第２領域（厚肉部）
５  カバー部材
【図１】
2020179034.tif 000003
【図２】
2020179034.tif 000004
【図３】
2020179034.tif 000005
【図４Ａ】
2020179034.tif 000006
【図４Ｂ】
2020179034.tif 000007
【図５】
2020179034.tif 000008
【図６】
2020179034.tif 000009
【図７】
2020179034.tif 000010
【図８】
2020179034.tif 000011
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
フェース部、クラウン部、及びソール部を有するヘッド本体と、
前記ヘッド本体に取り付けられ、前記ヘッド本体よりも比重の小さい、少なくとも１つのカバー部材と、
を備え、
前記ヘッド本体は、
前記フェース部、前記クラウン部、及び前記ソール部によって囲まれた内部空間を有し、
前記クラウン部及びソール部の少なくとも一方に形成され、前記内部空間に通じる少なくとも１つの開口と、
少なくとも前記開口を横断する横断部を有し、前記ヘッド本体の内壁面に沿って延びる、少なくとも１つのブリッジ部と、
を備え、
前記開口は、前記ヘッド本体の外側から前記カバー部材によって塞がれ、
前記ブリッジ部は、前記カバー部材に接する接合面を備え、
前記ブリッジ部の前記ヘッド本体の内壁面からの高さは、当該ブリッジ部の延びる方向において変化しており、
前記ブリッジ部は、前記横断部から連続的に、前記開口を越えて、前記ヘッド本体の内壁面に沿って延びている、ゴルフクラブヘッド。
【請求項２】
前記ブリッジ部は、トゥ−ヒール方向に前記ソール部のトゥ側の縁部付近まで延びており、
前記ブリッジ部の前記高さは、前記ソール部のトゥ側の縁部にいくにしたがって低くなっている、請求項１に記載のゴルフクラブヘッド。
【請求項３】
前記ブリッジ部は、トゥ−ヒール方向に前記ソール部のヒール側の縁部付近まで延びており、
前記ブリッジ部の前記高さは、前記ソール部のヒール側の縁部にいくにしたがって低くなっている、請求項１または２に記載のゴルフクラブヘッド。
【請求項４】
前記開口の周縁部には、前記カバー部材の周縁部が配置される設置部が形成されており、
前記設置部の外縁と、前記ヘッド本体の外面との境界に段が形成されており、
前記設置部に配置された前記カバー部材の周縁部と、前記ヘッド本体の外面とが略面一になるように構成されている、請求項１から３のいずれかに記載のゴルフクラブヘッド。
【請求項５】
前記設置部の一部には、肉厚の小さい第１薄肉部が形成されている、請求項４に記載のゴルフクラブヘッド。
【請求項６】
フェース部、クラウン部、及びソール部を有するヘッド本体と、
前記ヘッド本体に取り付けられ、前記ヘッド本体よりも比重の小さい、少なくとも１つのカバー部材と、
を備え、
前記ヘッド本体は、
前記フェース部、前記クラウン部、及び前記ソール部によって囲まれた内部空間を有し、
前記クラウン部及びソール部の少なくとも一方に形成され、前記内部空間に通じる少なくとも１つの開口と、
少なくとも前記開口を横断する横断部を有し、前記ヘッド本体の内壁面に沿って延びる、少なくとも１つのブリッジ部と、
を備え、
前記開口は、前記ヘッド本体の外側から前記カバー部材によって塞がれ、
前記ブリッジ部は、前記カバー部材に接する接合面を備え、
前記ブリッジ部の前記ヘッド本体の内壁面からの高さは、当該ブリッジ部の延びる方向において変化しており、
前記開口の周縁部には、前記カバー部材の周縁部が配置される設置部が形成されており、
前記設置部の外縁と、前記ヘッド本体の外面との境界に段が形成されており、
前記設置部に配置された前記カバー部材の周縁部と、前記ヘッド本体の外面とが略面一になるように構成され、
前記ヘッド本体には、前記設置部の周囲の少なくとも一部に、当該設置部よりも肉厚の小さい第２薄肉部が形成されている、ゴルフクラブヘッド。
【請求項７】
前記第２薄肉部の周囲の少なくとも一部には、当該第２薄肉部よりも肉厚の大きい厚肉部が形成されている、請求項６に記載のゴルフクラブヘッド。
【請求項８】
前記厚肉部は、前記開口を挟んで、トゥ側及びヒール側に形成されている、請求項７に記載のゴルフクラブヘッド。
【請求項９】
前記ブリッジ部の１つは、トゥ−ヒール方向に延び、
当該ブリッジ部によって、前記開口が、フェース側の第１開口及びバック側の第２開口に仕切られ、
前記第１開口の面積が、前記第２開口の面積よりも小さい、請求項１から８のいずれかに記載のゴルフクラブヘッド。
【請求項１０】
前記開口は、トゥ−ヒール方向におけるトゥ側に形成されている、請求項１から９のいずれかに記載のゴルフクラブヘッド。
【請求項１１】
前記開口は、前記ソール部に形成されている、請求項１から１０のいずれかに記載のゴルフクラブヘッド。
【請求項１２】
前記ブリッジ部は、
前記接合面と、
前記横断部を通過し、且つ前記ヘッド本体の内壁面に沿って前記横断部より長く延びるリブと、を備え、
前記リブの前記ヘッド本体の内壁面からの高さは、当該ブリッジ部の延びる方向において変化している、請求項１から１１のいずれかに記載のゴルフクラブヘッド。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
フェース部、クラウン部、及びソール部を有するヘッド本体と、
前記ヘッド本体に取り付けられ、前記ヘッド本体よりも比重の小さい、少なくとも１つのカバー部材と、
を備え、
前記ヘッド本体は、
前記フェース部、前記クラウン部、及び前記ソール部によって囲まれた内部空間を有し、
前記クラウン部及びソール部の少なくとも一方に形成され、前記内部空間に通じる少なくとも１つの開口と、
少なくとも前記開口を横断する横断部を有し、前記ヘッド本体の内壁面に沿って延びる、少なくとも１つのブリッジ部と、
を備え、
前記開口は、前記ヘッド本体の外側から前記カバー部材によって塞がれ、
前記ブリッジ部は、前記カバー部材に接する接合面を備え、
前記ブリッジ部の前記ヘッド本体の内壁面からの高さは、当該ブリッジ部の延びる方向において変化しており、
前記ブリッジ部は、前記横断部から連続的に、前記開口を越えて、前記ヘッド本体の内壁面に沿って延び、
前記開口の周縁部には、前記カバー部材の周縁部が配置される設置部が形成されており、
前記設置部の一部には、肉厚の小さい第１薄肉部が形成されており、
前記第１薄肉部は、前記設置部の内縁に沿って形成されるとともに、前記ブリッジ部を挟むように形成されている、ゴルフクラブヘッド。
【請求項２】
前記ブリッジ部は、トゥ−ヒール方向に前記ソール部のトゥ側の縁部付近まで延びており、
前記ブリッジ部の前記高さは、前記ソール部のトゥ側の縁部にいくにしたがって低くなっている、請求項１に記載のゴルフクラブヘッド。
【請求項３】
前記ブリッジ部は、トゥ−ヒール方向に前記ソール部のヒール側の縁部付近まで延びており、
前記ブリッジ部の前記高さは、前記ソール部のヒール側の縁部にいくにしたがって低くなっている、請求項１または２に記載のゴルフクラブヘッド。
【請求項４】
前記設置部の外縁と、前記ヘッド本体の外面との境界に段が形成されており、
前記設置部に配置された前記カバー部材の周縁部と、前記ヘッド本体の外面とが略面一になるように構成されている、請求項１から３のいずれかに記載のゴルフクラブヘッド。
【請求項５】
フェース部、クラウン部、及びソール部を有するヘッド本体と、
前記ヘッド本体に取り付けられ、前記ヘッド本体よりも比重の小さい、少なくとも１つのカバー部材と、
を備え、
前記ヘッド本体は、
前記フェース部、前記クラウン部、及び前記ソール部によって囲まれた内部空間を有し、
前記クラウン部及びソール部の少なくとも一方に形成され、前記内部空間に通じる少なくとも１つの開口と、
少なくとも前記開口を横断する横断部を有し、前記ヘッド本体の内壁面に沿って延びる、少なくとも１つのブリッジ部と、
を備え、
前記開口は、前記ヘッド本体の外側から前記カバー部材によって塞がれ、
前記ブリッジ部は、前記カバー部材に接する接合面を備え、
前記ブリッジ部の前記ヘッド本体の内壁面からの高さは、当該ブリッジ部の延びる方向において変化しており、
前記開口の周縁部には、前記カバー部材の周縁部が配置される設置部が形成されており、
前記設置部の外縁と、前記ヘッド本体の外面との境界に段が形成されており、
前記設置部に配置された前記カバー部材の周縁部と、前記ヘッド本体の外面とが略面一になるように構成され、
前記ヘッド本体には、前記設置部の周囲の少なくとも一部に、当該設置部よりも肉厚の小さい第２薄肉部が形成されている、ゴルフクラブヘッド。
【請求項６】
前記第２薄肉部の周囲の少なくとも一部には、当該第２薄肉部よりも肉厚の大きい厚肉部が形成されている、請求項５に記載のゴルフクラブヘッド。
【請求項７】
前記厚肉部は、前記開口を挟んで、トゥ側及びヒール側に形成されている、請求項６に記載のゴルフクラブヘッド。
【請求項８】
前記ブリッジ部の１つは、トゥ−ヒール方向に延び、
当該ブリッジ部によって、前記開口が、フェース側の第１開口及びバック側の第２開口に仕切られ、
前記第１開口の面積が、前記第２開口の面積よりも小さい、請求項１から７のいずれかに記載のゴルフクラブヘッド。
【請求項９】
前記開口は、トゥ−ヒール方向におけるトゥ側に形成されている、請求項１から８のいずれかに記載のゴルフクラブヘッド。
【請求項１０】
前記開口は、前記ソール部に形成されている、請求項１から９のいずれかに記載のゴルフクラブヘッド。
【請求項１１】
前記ブリッジ部は、
前記接合面と、
前記横断部を通過し、且つ前記ヘッド本体の内壁面に沿って前記横断部より長く延びるリブと、を備え、
前記リブの前記ヘッド本体の内壁面からの高さは、当該ブリッジ部の延びる方向において変化している、請求項１から１０のいずれかに記載のゴルフクラブヘッド。